(57)【要約】      （修正有）【課題】  複数の装置を簡単に接続できるようにする。【解決手段】  信号処理装置１２乃至信号処理装置１５は、それぞれ自分自身の信号処理装置IDの他、自分自身の入力信号形式と出力信号形式を保持している。システム制御装置１１は、バス１０を介して、各信号処理装置１２乃至１５から入出力信号形式を読み出し、その入出力信号形式に基づいて、各信号処理装置の接続の順番を示す信号経路を決定し、その信号経路テーブルを作成する。複数の信号経路が存在する場合、その優先順位が決定され、最も優先順の高い信号経路で、各信号処理装置が接続される。本発明は、家庭におけるバスシステムに適用できる。【選択図】  図１
2005301803.tif 000002
【特許請求の範囲】
【請求項１】
接続されている信号処理装置から入出力信号形式を取得する取得手段と、
前記信号処理装置の中から第１の装置を選択する選択手段と、
選択された前記第１の装置の出力信号形式に対応する入力信号形式を有する第２の装置を前記信号処理装置の中から選択し、前記第１の装置が出力する処理信号を入力する装置とする信号経路テーブルを作成する作成手段と、
前記信号経路テーブルに作成された前記信号経路の表示を制御する表示手段と
を備えることを特徴とする情報処理装置。
【請求項２】
前記選択手段は、前記第１の装置として、外部からの処理信号を入力する外部入力装置を選択し、前記外部入力装置に関する前記信号経路テーブルの作成が完了した後、前記外部入力装置以外の装置であって、かつ、処理信号を外部に出力する外部出力装置以外の装置である中間装置を選択し、
前記作成手段は、前記外部入力装置に関する前記信号経路テーブルの作成が完了した後、前記中間装置を前記第１の装置として前記信号経路テーブルを作成する
ことを特徴とする請求項１に記載の情報処理装置。
【請求項３】
前記作成手段は、前記中間装置に関する前記信号経路テーブルの作成が完了した後、前記信号経路が確立しない前記信号処理装置を前記信号経路テーブルから削除する
ことを特徴とする請求項２に記載の情報処理装置。
【請求項４】
前記信号経路テーブルに作成された前記信号経路が複数ある場合、優先順位に基づいて１つの前記信号経路を決定する決定手段を
さらに備えることを特徴とする請求項１に記載の情報処理装置。
【請求項５】
前記決定手段は、前記信号処理装置に予め付加されている重みに基づいて前記優先順位を決定する
ことを特徴とする請求項４に記載の情報処理装置。
【請求項６】
前記決定手段は、前記信号処理装置に想定されている前記信号経路に基づいて前記優先順位を決定する
ことを特徴とする請求項４に記載の情報処理装置。
【請求項７】
前記表示手段は、さらに、第１のモードが選択されている場合、パラメータを詳細に設定する第１のパラメータ入力画面を表示し、第２のモードが選択されている場合、パラメータを簡単に設定する第２のパラメータ入力画面を表示する
ことを特徴とする請求項１に記載の情報処理装置。
【請求項８】
接続されている信号処理装置から入出力信号形式を取得する取得ステップと、
前記信号処理装置の中から第１の装置を選択する選択ステップと、
選択された前記第１の装置の出力信号形式に対応する入力信号形式を有する第２の装置を前記信号処理装置の中から選択し、前記第１の装置が出力する処理信号を入力する装置とする信号経路テーブルを作成する作成ステップと、
前記信号経路テーブルに作成された前記信号経路の表示を制御する表示ステップと
を含むことを特徴とする情報処理方法。
【請求項９】
接続されている信号処理装置から入出力信号形式を取得する取得ステップと、
前記信号処理装置の中から第１の装置を選択する選択ステップと、
選択された前記第１の装置の出力信号形式に対応する入力信号形式を有する第２の装置を前記信号処理装置の中から選択し、前記第１の装置が出力する処理信号を入力する装置とする信号経路テーブルを作成する作成ステップと、
前記信号経路テーブルに作成された前記信号経路の表示を制御する表示ステップと
を含むことを特徴とするコンピュータが読み取り可能なプログラムが記録されている記録媒体。
【請求項１０】
接続されている信号処理装置から入出力信号形式を取得する取得ステップと、
前記信号処理装置の中から第１の装置を選択する選択ステップと、
選択された前記第１の装置の出力信号形式に対応する入力信号形式を有する第２の装置を前記信号処理装置の中から選択し、前記第１の装置が出力する処理信号を入力する装置とする信号経路テーブルを作成する作成ステップと、
前記信号経路テーブルに作成された前記信号経路の表示を制御する表示ステップと
をコンピュータに実行させることを特徴とするプログラム。
【発明の詳細な説明】
【技術分野】
【０００１】
本発明は、情報処理装置および方法、記録媒体、並びにプログラムに関し、特に、複数の信号処理装置を簡単に接続するようにした、情報処理装置および方法、記録媒体、並びにプログラムに関する。
【背景技術】
【０００２】
例えば、従来テレビジョン受像機とオーディオ機器は、従来より家庭内おいて利用されていたが、それぞれ相互に独立して使用されることが多かった。これらが単独で使用される場合、相互の情報の授受が困難となり不便であるため、家庭内で使用される電子機器の数が多くなってきたことと相まって、各電子機器を家庭内のバスなどで相互に接続することが行われるようになってきた。これにより、ユーザは、各電子機器を相互に有機的に結合して、一体のシステムとして利用することが可能となる。
【０００３】
異なる機能の複数の装置を１つの装置にまとめて、多機能の処理を実行させることも提案されている（例えば特許文献１）。
【特許文献１】特開２００３−１７９８２１公報
【発明の開示】
【発明が解決しようとする課題】
【０００４】
しかしながら、従来のシステムにおいては、各電子機器の相互の接続をユーザが指示しなければならず、操作に不慣れな初心者は、結局、各装置を有機的に結合した状態でシステムを使用することができない課題があった。
【０００５】
本発明はこのような状況に鑑みてなされたものであり、ユーザに大きな負担をかけることなく、簡単に各装置を有機的に結合して、利用することができるようにするものである。
【課題を解決するための手段】
【０００６】
本発明の情報処理装置は、接続されている信号処理装置から入出力信号形式を取得する取得手段と、信号処理装置の中から第１の装置を選択する選択手段と、選択された第１の装置の出力信号形式に対応する入力信号形式を有する第２の装置を信号処理装置の中から選択し、第１の装置が出力する処理信号を入力する装置とする信号経路テーブルを作成する作成手段と、信号経路テーブルに作成された信号経路の表示を制御する表示手段とを備えることを特徴とする。
【０００７】
前記選択手段は、第１の装置として、外部からの処理信号を入力する外部入力装置を選択し、外部入力装置に関する信号経路テーブルの作成が完了した後、外部入力装置以外の装置であって、かつ、処理信号を外部に出力する外部出力装置以外の装置である中間装置を選択し、作成手段は、外部入力装置に関する信号経路テーブルの作成が完了した後、中間装置を第１の装置として信号経路テーブルを作成するようにすることができる。
【０００８】
前記作成手段は、中間装置に関する信号経路テーブルの作成が完了した後、信号経路が確立しない信号処理装置を信号経路テーブルから削除するようにすることができる。
【０００９】
前記信号経路テーブルに作成された信号経路が複数ある場合、優先順位に基づいて１つの信号経路を決定する決定手段をさらに備えるようにすることができる。
【００１０】
前記決定手段は、信号処理装置に予め付加されている重みに基づいて優先順位を決定するようにすることができる。
【００１１】
前記決定手段は、信号処理装置に想定されている信号経路に基づいて優先順位を決定するようにすることができる。
【００１２】
前記表示手段は、さらに、第１のモードが選択されている場合、パラメータを詳細に設定する第１のパラメータ入力画面を表示し、第２のモードが選択されている場合、パラメータを簡単に設定する第２のパラメータ入力画面を表示するようにすることができる。
【００１３】
本発明の情報処理方法は、接続されている信号処理装置から入出力信号形式を取得する取得ステップと、信号処理装置の中から第１の装置を選択する選択ステップと、選択された第１の装置の出力信号形式に対応する入力信号形式を有する第２の装置を信号処理装置の中から選択し、第１の装置が出力する処理信号を入力する装置とする信号経路テーブルを作成する作成ステップと、信号経路テーブルに作成された信号経路の表示を制御する表示ステップとを含むことを特徴とする。
【００１４】
本発明の記録媒体のプログラムは、接続されている信号処理装置から入出力信号形式を取得する取得ステップと、信号処理装置の中から第１の装置を選択する選択ステップと、選択された第１の装置の出力信号形式に対応する入力信号形式を有する第２の装置を信号処理装置の中から選択し、第１の装置が出力する処理信号を入力する装置とする信号経路テーブルを作成する作成ステップと、信号経路テーブルに作成された信号経路の表示を制御する表示ステップとを含むことを特徴とする。
【００１５】
本発明のプログラムは、接続されている信号処理装置から入出力信号形式を取得する取得ステップと、信号処理装置の中から第１の装置を選択する選択ステップと、選択された第１の装置の出力信号形式に対応する入力信号形式を有する第２の装置を信号処理装置の中から選択し、第１の装置が出力する処理信号を入力する装置とする信号経路テーブルを作成する作成ステップと、信号経路テーブルに作成された信号経路の表示を制御する表示ステップとをコンピュータに実行させることを特徴とする。
【００１６】
本発明においては、接続されている信号処理装置の入出力信号形式に基づいて信号経路テーブルが作成され、信号経路テーブルに作成された信号経路が表示される。
【発明の効果】
【００１７】
本発明によれば、信号処理装置を接続することができる。特に、ユーザに大きな負担をかけることなく、簡単に各信号処理装置を有機的に結合し、利用することが可能となる。
【発明を実施するための最良の形態】
【００１８】
以下に本発明の最良の形態を説明するが、開示される発明と実施の形態との対応関係を例示すると、次のようになる。明細書中には記載されているが、発明に対応するものとして、ここには記載されていない実施の形態があったとしても、そのことは、その実施の形態が、その発明に対応するものではないことを意味するものではない。逆に、実施の形態が発明に対応するものとしてここに記載されていたとしても、そのことは、その実施の形態が、その発明以外の発明には対応しないものであることを意味するものでもない。
【００１９】
さらに、この記載は、明細書に記載されている発明の全てを意味するものではない。換言すれば、この記載は、明細書に記載されている発明であって、この出願では請求されていない発明の存在、すなわち、将来、分割出願されたり、補正により出現し、追加される発明の存在を否定するものではない。
【００２０】
［請求項１］  接続されている信号処理装置（例えば、図１の信号処理装置Ａ乃至信号処理装置Ｄ）から入出力信号形式（例えば、図４の信号形式）を取得する取得手段（例えば、図６のステップＳ４の処理を実行する図５の取得部６１）と、
前記信号処理装置の中から第１の装置（例えば、外部入力機能を有する図１の信号処理装置Ａ）を選択する選択手段（例えば、図６のステップＳ８の処理を実行する図５の選択部６５）と、
選択された前記第１の装置の出力信号形式に対応する入力信号形式を有する第２の装置（例えば、信号処理装置Ａの出力信号形式に対応する入力信号形式を有する図１の信号処理装置Ｂ）を前記信号処理装置の中から選択し、前記第１の装置が出力する処理信号を入力する装置とする信号経路テーブル（例えば、図１０の信号経路テーブル）を作成する作成手段（例えば、図６のステップＳ９の処理を実行する図５の信号経路テーブル作成部６４）と、
前記信号経路テーブルに作成された前記信号経路（例えば、図１６の信号経路）の表示を制御する表示手段（例えば、図７のステップＳ１９の処理を実行する図５の表示部６８）と
を備えることを特徴とする情報処理装置（例えば、図１のシステム制御装置１１）。
【００２１】
［請求項２］  前記選択手段は、前記第１の装置として、外部からの処理信号を入力する外部入力装置を選択し、前記外部入力装置に関する前記信号経路テーブルの作成が完了した後（例えば、図６のステップＳ１０でＮＯと判定された後）、前記外部入力装置以外の装置であって、かつ、処理信号を外部に出力する外部出力装置（例えば、図１の信号処理装置Ｄ）以外の装置である中間装置（例えば、図１の信号処理装置Ｂ，Ｃ）を選択し、
前記作成手段は、前記外部入力装置に関する前記信号経路テーブルの作成が完了した後、前記中間装置を前記第１の装置として前記信号経路テーブルを作成する（例えば、図７のステップＳ１３の処理）
ことを特徴とする請求項１に記載の情報処理装置。
【００２２】
［請求項３］  前記作成手段は、前記中間装置に関する前記信号経路テーブルの作成が完了した後（例えば、図７のステップＳ１４でＮＯと判定された後）、前記信号経路が確立しない前記信号処理装置（例えば、図１２の信号処理装置Ｃのうちの、出力装置が存在しない上から２番目と４番目の装置）を前記信号経路テーブルから削除する（例えば、図７のステップＳ１６の処理）
ことを特徴とする請求項２に記載の情報処理装置。
【００２３】
［請求項４］  前記信号経路テーブルに作成された前記信号経路が複数ある場合、優先順位に基づいて１つの前記信号経路を決定する決定手段（例えば、図７のステップＳ１８の処理を実行する図５の優先順位決定部６７）を
さらに備えることを特徴とする請求項１に記載の情報処理装置。
【００２４】
［請求項５］  前記決定手段は、前記信号処理装置に予め付加されている重み（例えば、図２１の重み）に基づいて前記優先順位を決定する（例えば、図２０のステップＳ３４の処理）
ことを特徴とする請求項４に記載の情報処理装置。
【００２５】
［請求項６］  前記決定手段は、前記信号処理装置に想定されている前記信号経路（例えば、図２５の信号経路）に基づいて前記優先順位を決定する（例えば、図２３のステップＳ５７）
ことを特徴とする請求項４に記載の情報処理装置。
【００２６】
［請求項７］  前記表示手段は、さらに、第１のモード（例えば、詳細設定モード）が選択されている場合、パラメータを詳細に設定する第１のパラメータ入力画面（例えば、図２９の入力画面）を表示し、第２のモード（例えば、簡易設定モード）が選択されている場合、パラメータを簡単に設定する第２のパラメータ入力画面（例えば、図３０の入力画面）を表示する
ことを特徴とする請求項１に記載の情報処理装置。
【００２７】
［請求項８］  接続されている信号処理装置（例えば、図１の信号処理装置Ａ乃至信号処理装置Ｄ）から入出力信号形式（例えば、図４の信号形式）を取得する取得ステップ（例えば、図６のステップＳ４）と、
前記信号処理装置の中から第１の装置（例えば、外部入力機能を有する図１の信号処理装置Ａ）を選択する選択ステップ（例えば、図６のステップＳ８）と、
選択された前記第１の装置の出力信号形式に対応する入力信号形式を有する第２の装置（例えば、信号処理装置Ａの出力信号形式に対応する入力信号形式を有する図１の信号処理装置Ｂ）を前記信号処理装置の中から選択し、前記第１の装置が出力する処理信号を入力する装置とする信号経路テーブル（例えば、図１０の信号経路テーブル）を作成する作成ステップ（例えば、図６のステップＳ９）と、
前記信号経路テーブルに作成された前記信号経路（例えば、図１６の信号経路）の表示を制御する表示ステップ（例えば、図７のステップＳ１９）と
を含むことを特徴とする情報処理方法。
【００２８】
以下、本発明の実施の形態について説明する。
【００２９】
図１は、本発明を適用した情報処理システムの構成例を表している。同図に示されるように、情報処理システム１は、システム制御装置１１と、信号処理装置１２乃至１５が、バス１０により相互に接続されている。また、必要に応じて、このバス１０には、音声遅延制御装置１６も接続される。
【００３０】
信号処理装置１２乃至１５は、必要に応じて、それぞれ信号処理装置Ａ乃至信号処理装置Ｄとも称する。信号処理装置１２乃至１５は、それぞれ単独で機能する装置として構成することもできるし、また、それぞれが１つの基板として構成され、１つの装置に装着されることで、全体として１つの装置として機能させるようにすることもできる。
【００３１】
図２は、信号処理装置１２（信号処理装置Ａ）の機能的構成例を表している。同図に示されるように、信号処理装置１２は、本処理部３１、通信部３２、および装置情報格納部３３により構成されている。
【００３２】
通信部３２は、バス１０を介してシステム制御装置１１の他、他の信号処理装置と通信する。装置情報格納部３３は、自分自身の信号処理装置ID、処理内容情報、および入出力信号形式を予め格納している。装置情報格納部３３は、例えば、マイクロプロセッサ、RAM（Random Access Memory）、ROM（Read Only Memory）などから構成される。もちろん、RAM、フラッシュROM、その他、制御回路だけの構成でもよい。本処理部３１は、信号処理装置１２の動作を制御する。
【００３３】
図示は省略するが、信号処理装置１３乃至１５、並びに音声遅延制御装置１６も、基本的に、図２に示される場合と同様の構成を有している。
【００３４】
信号処理装置IDは、各信号処理装置を識別するための各信号処理装置に固有の識別番号である。
【００３５】
処理内容情報は、その信号処理装置が実行可能な処理に関する情報である。図３は、この処理内容情報の例を表している。
【００３６】
図３には、外部信号入力ａ，ｂ、外部信号出力ａ、解像度創造ａ、ノイズ除去ａ，ｂが例示されている。それぞれの処理IDは、０００１０，０００１１，０００２０，０００３０，０００４０，または０００４１とされている。
【００３７】
外部信号入力ａは、アナログの外部からの信号を入力する処理を意味する。外部とは、バス１０を介さないで入力されることを意味する。外部信号入力ｂは、外部からデジタルの信号を入力する処理を意味する。外部信号出力ａは、外部へデジタル信号を出力する処理を意味する。外部へ信号を出力するとは、バス１０を介さずに信号を出力することを意味する。
【００３８】
解像度創造ａは、解像度を創造する処理を意味する。ノイズ除去ａは、伝送路ノイズを除去する処理を意味し、ノイズ除去ｂは、符号化ノイズを除去する処理を意味する。
【００３９】
各信号処理装置は、これらの処理内容のうち、自分自身が実行する処理内容を処理内容情報として装置情報格納部３３に格納する。
【００４０】
なお、この他、システム内部の制御に必要最低限の情報と、ユーザインターフェースに利用するための情報などが、処理内容情報として記憶されるようにしてもよい。
【００４１】
入出力信号形式は、各信号処理装置が入力または出力可能な信号形式を意味する。図４は、入出力信号形式の例を表している。図４の例においては、５２５ｉ（６０Ｉ）の信号形式で入力する信号形式と出力する信号形式が、それぞれ記述されている。前者の信号形式IDは０００１０、対応処理IDは０００１０とされ、後者の信号形式IDは０００１１、対応処理IDは０００１１とされている。
【００４２】
さらに、６２５ｉ（５０Ｉ）の入力信号形式が、信号形式ID０００２０、対応処理ID０００１０として記述されている。さらに、５２５ｐ（６０Ｐ）の入力信号形式が、信号形式ID０００３０、対応処理ID０００３０として記述されている。７２０ｐ（６０Ｐ）の入力信号形式も、信号形式ID０００４０、対応処理ID０００４０として記述されている。
【００４３】
なお、信号形式の、例えば「５２５」の数字は走査線の数を表し、「６０I」のうちの数字（６０）はフレームの数を表している。また、「Ｉ」はインタレース方式を表し、「Ｐ」はプログレッシブ（線順次方式）を意味する。
【００４４】
各信号処理装置は、これらの入出力信号形式のうち、自分自身が有するものを装置情報格納部３３に保持する。
【００４５】
図５は、システム制御装置１１の機能的構成例を表している。取得部６１は、各信号処理装置１２乃至１５から、信号処理装置ID、処理内容情報、並びに入出力信号形式を取得する。処理装置テーブル作成部６２は、取得部６１により取得された信号処理装置IDに基づいて、バス１０に接続されている装置を特定するための処理装置テーブルを作成する。判定部６３は、処理装置テーブルに変化があるか、外部入力装置があるか、中間装置があるかといった判定処理や、確立していない信号経路があるか、信号経路の数は複数であるかといった判定処理を行う。
【００４６】
信号経路テーブル作成部６４は、バス１０に接続されている各信号処理装置の信号経路を表す信号経路テーブルを作成し、記憶する。選択部６５は、判定部６３の判定結果に基づいて各種の選択処理を行う。警告部６６は、判定部６３の判定結果に基づいて、ユーザに対して各種の警告を行う。優先順位決定部６７は、信号経路が複数ある場合において、その優先順位を決定する。表示部６８は、決定された信号経路やパラメータの入力画面などの表示を制御する。パラメータ設定部６９は、表示部６８により表示されたパラメータ入力画面に基づいてパラメータ設定処理を行う。
【００４７】
次に、図６と図７のフローチャートを参照して、信号経路テーブル作成処理について説明する。この処理は、例えば、システム制御装置１１の電源をオンした直後に実行される。
【００４８】
ステップＳ１において、取得部６１は、信号処理装置IDを取得する処理を実行する。具体的には、取得部６１は、バス１０を介して、各信号処理装置に対して信号処理装置IDの送信を要求する。各信号処理装置は、その装置情報格納部３３に格納されている信号処理装置IDを、バス１０を介してシステム制御装置１１に通知する。ステップＳ２において、処理装置テーブル作成部６２は、信号処理装置IDを処理装置テーブルに追加する処理を実行する。具体的には、処理装置テーブル作成部６２は、取得部６１より供給された信号処理装置IDを内部に記憶する処理装置テーブルに追加する。図１の例の場合、信号処理装置Ａ乃至信号処理装置Ｄが接続されているので、図８に示されるような処理装置テーブルが作成される。図８の例においては、信号処理装置の名称として、信号処理装置Ａ乃至Ｄと、そのそれぞれの信号処理装置IDとして、０００１０，０００２０，０００３０，または０００４０が対応して記述されている。
【００４９】
次に、ステップＳ３において、判定部６３は、処理装置テーブルに変化があるか否かを判定する。すなわち、過去に電源がオンされたときに作成された処理装置テーブルと、今回の電源オン時に作成された処理装置テーブルとが比較され、それらの間に変化がなければ、後述する信号経路テーブルも既に作成済みであるので、処理は終了される。
【００５０】
これに対して、ステップＳ３において、判定部６３により処理装置テーブルに変化があると判定された場合、ステップＳ４において、取得部６１は、処理内容情報と入出力信号形式を取得する処理を実行する。具体的には、取得部６１は、今回作成された処理装置テーブルに、新たに追加された信号処理装置に対して、その処理内容情報と入出力信号形式の送信を要求する。この要求を受けた信号処理装置は、その装置情報格納部３３に格納されている自分自身の処理内容情報と入出力信号形式を読み出し、バス１０を介してシステム制御装置１１に通知する。
【００５１】
取得部６１は、この処理内容情報と入出力信号形式を取得すると、これを信号経路テーブル作成部６４に供給する。信号経路テーブル作成部６４は、ステップＳ５において、取得部６１より供給された処理内容情報と入出力信号形式を信号経路テーブルに追加し、新たな信号経路テーブルを作成する。システム制御装置１１の電源が初めてオンされた場合には、前回の処理装置テーブルと信号経路テーブルが存在しないため、接続されている全ての信号処理装置の処理装置テーブルと信号経路テーブルが作成されることになる。図９は、このようにして作成された信号経路テーブルの例を表している。
【００５２】
図９の例においては、信号処理装置Ａは、外部入力ａの処理内容を有し、その入力信号形式は、５２５ｉ（６０Ｉ），５２５ｐ（６０Ｐ）、または１１２５ｉ（６０Ｉ）とされ、対応する出力信号形式は、同様に、５２５ｉ（６０Ｉ），５２５ｐ（６０Ｐ）、または１１２５ｉ（６０Ｉ）とされている。すなわち、外部入力ａは、入力された信号形式はそのまま出力することを意味する。
【００５３】
信号処理装置Ｂは、ノイズ除去ａの処理内容を有し、その入力信号形式は、５２５ｉ（６０Ｉ）または５２５ｐ（６０Ｐ）とされ、出力信号形式は、入力信号形式に対応して、それぞれ５２５ｉ（６０Ｉ）または５２５ｐ（６０Ｐ）とされている。
【００５４】
すなわち、ノイズ除去ａは、５２５ｉ（６０Ｉ）または５２５ｐ（６０Ｐ）の入力信号形式の入力を、ノイズを除去した後、応する出力信号形式、すなわち５２５ｉ（６０Ｉ）または５２５ｐ（６０Ｐ）の信号で出力する。
【００５５】
信号処理装置Ｃは、処理内容として解像度創造ａを有し、その入力信号形式は５２５ｉ（６０Ｉ）で、出力信号形式は７２０ｐ（６０Ｐ）、または１１２５ｉ（６０Ｉ）とされている。
【００５６】
信号処理装置Ｃは、５２５ｉ（６０Ｉ）の入力信号形式で入力された信号を、その解像度創造を行った後、７２０ｐ（６０Ｐ）の出力信号形式または１１２５ｉ（６０Ｉ）の出力信号形式で出力する。
【００５７】
信号処理装置Ｄは、処理内容として外部出力ａを有し、その入力信号形式は５２５ｉ（６０Ｉ），５２５ｐ（６０Ｐ）、または７２０ｐ（６０Ｐ）とされ、出力信号形式は、それぞれ入力信号形式に対応して、５２５ｉ（６０Ｉ），５２５ｐ（６０Ｐ）または７２０ｐ（６０Ｐ）とされる。
【００５８】
すなわち、信号処理装置Ｄは、入力された信号をそのまま外部に出力する機能を有していることになる。
【００５９】
次に、図６のステップＳ６において、判定部６３は、信号経路テーブルに外部入力装置があるか否かを判定する。図９の信号経路テーブルの場合、外部入力装置としての機能を有する信号処理装置Ａが存在する。仮に信号経路テーブルに外部入力装置が存在しない場合には、接続処理を実行することができない。そこで、判定部６３により、信号経路テーブルに外部入力装置がないと判定された場合、警告部６６は、ステップＳ７において、警告する処理を実行する。具体的には、ユーザに、例えば「外部入力装置がないので接続を行うことができません」といったメッセージを呈示する。
【００６０】
信号経路テーブルに外部入力装置が存在すると判定部６３により判定された場合、ステップＳ８において、選択部６５は、外部入力装置を選択する処理を実行する。すなわち、処理装置テーブルに記述されている装置の中から外部入力装置が１つ選択される。例えば、ここで信号処理装置Ａが選択される。ステップＳ９において、信号経路テーブル作成部６４は、外部入力装置の出力信号形式に対応する信号を入力信号形式とする他の信号処理装置を外部入力装置の出力装置に配置する。具体的には、ステップＳ８で選択された信号処理装置Ａは、５２５ｉ（６０Ｉ），５２５ｐ（６０Ｐ）、または１１２５ｉ（６０Ｉ）の出力信号形式を有している。これらの出力信号形式のいずれかに対応する入力信号形式を有している装置は、信号処理装置Ｂ（５２５ｉ（６０Ｉ），５２５ｐ（６０Ｐ））、信号処理装置Ｃ（５２５ｉ（６０Ｉ））、信号処理装置Ｄ（５２５ｉ（６０Ｉ），５２５ｐ（６０Ｐ））である。そこで、図１０の信号経路テーブルに示されるように、これらの各信号処理装置Ｂ，Ｃ，Ｄが、信号処理装置Ａの出力装置として記述される。同様に、信号処理装置Ｂ，Ｃ，Ｄの入力装置として、信号処理装置Ａが記述される。
【００６１】
これにより、信号処理装置Ａの出力が信号処理装置Ｂ，ＣまたはＤに供給される信号経路が作成されたことになる。
【００６２】
次に、ステップＳ１０において、判定部６３は、信号経路テーブルに他の外部入力装置があるか否かを判定する。他の外部入力装置がある場合には、ステップＳ８に戻り、再び新たな外部入力装置が選択され、その選択された外部入力装置について、ステップＳ９で信号経路テーブルを作成する処理が実行される。
【００６３】
しかしながら、図９（図１０）の信号経路テーブルの場合、信号処理装置Ａ以外に外部入力装置は存在しない。そこで処理はステップＳ１０からステップＳ１１に進み、ステップＳ１１において、判定部６３は、信号経路テーブルに中間装置があるか否かを判定する。中間装置とは、外部入力装置でもなく、また、外部出力装置でもない装置を言う。換言すれば、外部入力装置と外部出力装置との間に配置される装置を意味する。信号経路テーブルに中間装置が存在しない場合には、結局、外部入力装置から入力された処理信号を外部出力装置にそのまま出力するだけのことになるので、実質的には信号経路が作成されたことにならない。そこで、この場合には、ステップＳ７において、警告部６６は、例えば、「接続する装置がありません」といったようなメッセージを表示する。
【００６４】
ステップＳ１１において、判定部６３により信号経路テーブルに中間装置が存在すると判定された場合、ステップＳ１２において、選択部６５は、信号経路テーブルから中間装置を選択する処理を実行する。図９（図１０）の信号経路テーブルの例の場合、信号処理装置Ｂと信号処理装置Ｃが中間装置である。そこで、ステップＳ１２において、例えば、信号処理装置Ｂが選択される。ステップＳ１３において、信号経路テーブル作成部６４は、中間装置の出力信号形式に対応する信号を入力信号形式とする他の信号処理装置を中間装置の出力装置に配置する。これにより、例えば図１１に示されるように、信号処理装置Ｂの出力装置として、信号処理装置Ｃと信号処理装置Ｄが記述され、信号処理装置Ｃと信号処理装置Ｄの入力装置として、信号処理装置Ｂが記述される。
【００６５】
次に、ステップＳ１４において、判定部６３は、信号経路テーブルに他の中間装置があるか否かを判定する。図９（図１１）の信号経路テーブルの場合、信号処理装置Ｃも中間装置である。そこで、ステップＳ１２に戻り、選択部６５は、信号処理装置Ｃを中間装置として選択する。そして、ステップＳ１３において、信号経路テーブル作成部６４は、図１２に示されるように、信号処理装置Ｃの出力装置として信号処理装置Ｄを記述し、信号処理装置Ｄの入力装置として信号処理装置Ｃを記述する。
【００６６】
再びステップＳ１４において、判定部６３は、信号経路テーブルに他の中間装置があるか否かを判定する。図９（図１２）の信号経路テーブルの場合、もはや、他の中間装置は存在しない。そこで、ステップＳ１５において、判定部６３は、確立していない信号経路があるか否かを判定する。図１２の信号経路テーブルに示されるように、中間装置である信号処理装置Ｃの上から２番目の経路には出力装置が記述されていない。同様に、上から４番目の経路にも出力装置が記述されていない。このことは、この経路は確立していないことを意味する。そこで、ステップＳ１６において信号経路テーブル作成部６４は、確立していない信号経路を削除する処理を実行する。具体的には、図１２に示される信号処理装置Ｃのうちの上から２番目と４番目の経路を削除する。これにより、信号経路テーブルは、図１３に示されるようになる。
【００６７】
ステップＳ１５において、確立していない信号経路が存在しないと判定された場合には、ステップＳ１６の処理は、必要がないのでスキップされる。
【００６８】
その後、ステップＳ１７において、判定部６３は、信号経路は複数あるか否かを判定する。信号経路が複数ある場合には、ステップＳ１８において、複数の信号経路の中から１つの信号経路を選択するための優先順位決定処理が実行される。この優先順位決定処理の詳細については、図２０または図２３のフローチャートを参照して後述する。
【００６９】
ステップＳ１７において、判定部６３により信号経路は複数存在しないと判定された場合には、ステップＳ１８の優先順位決定処理はスキップされる。
【００７０】
次に、ステップＳ１９において、表示部６８は、信号経路を表示する処理を行う。具体的には、ステップＳ１８またはステップＳ９，Ｓ１３，Ｓ１６で作成された信号経路がモニタ等に表示され、ユーザに提示される。
【００７１】
その後、ステップＳ２０において、パラメータ設定書部６９は、パラメータ設定処理を実行する。このパラメータ設定処理の詳細は、図２８のフローチャートを参照して後述するが、これにより選択された信号経路を構成する信号処理装置のパラメータが設定される。
【００７２】
図１３の信号経路テーブルに記述されている信号経路を図示すると、図１４に示されるようになる。この信号経路は、分解すると、図１５乃至図１８に示されるように、４つの信号経路を含んでいる。
【００７３】
図１５の信号経路では、外部入力装置である信号処理装置Ａが、５２５ｉ（６０Ｉ）または５２５ｐ（６０Ｐ）の入力信号形式で入力された信号をそのままの形式で外部出力装置としての信号処理装置Ｄに出力し、信号処理装置Ｄは、その信号そのままの出力信号形式で出力する。すなわち、この場合には、入力された信号がスルーされるだけで、実質的に処理は何も行われないことになる。
【００７４】
図１６の信号経路には、信号処理装置Ａ，Ｂ，Ｄが、順次配置されている。信号処理装置Ａは、５２５ｉ（６０Ｉ）または５２５ｐ（６０Ｐ）の入力信号形式で入力された信号を、ノイズ除去機能を有する中間装置としての信号処理装置Ｂに供給する。信号処理装置Ｂは、５２５ｉ（６０Ｉ）または５２５ｐ（６０Ｐ）の入力信号形式で入力された信号のノイズを除去し、対応する出力信号形式の出力信号として、外部出力装置としての信号処理装置Ｄに出力する。信号出力装置Ｄは、５２５ｉ（６０Ｉ）または５２５ｐ（６０Ｐ）の入力信号形式で入力された信号を、そのままの形式で出力する。
【００７５】
図１７の信号経路においては、信号処理装置Ａ，Ｃ，Ｄが、順次配置されている。信号処理装置Ａは、５２５ｉ（６０Ｉ）の入力信号形式で信号を入力し、これを、そのままの形式で中間装置としての信号処理装置Ｃに供給する。信号処理装置Ｃは、５２５ｉ（６０Ｉ）の入力信号形式で入力された信号に対して解像度創造処理を実行し、７２０ｐ（６０Ｐ）の出力信号形式で外部出力装置としての信号処理装置Ｄに出力する。信号処理装置Ｄは、７２０ｐ（６０Ｐ）の入力信号形式で入力された信号を、そのままの形式で外部の装置に出力する。
【００７６】
図１８の信号経路においては、信号処理装置Ａ，Ｂ，Ｄが順次配置されている。外部入力装置としての信号処理装置Ａは、５２５ｉ（６０Ｉ）の入力信号形式で信号を入力し、そのままの形式で中間装置としての信号処理装置Ｂに出力する。信号処理装置Ｂは、５２５ｉ（６０Ｉ）の入力信号形式で入力された信号に対してノイズ除去の処理を行い、同一の信号形式で、中間装置としての信号処理装置Ｃに出力する。
【００７７】
信号処理装置Ｃは、５２５ｉ（６０Ｉ）の入力信号形式で入力された信号に対して解像度創造処理を行い、７２０ｐ（６０Ｐ）の出力信号形式で、外部出力装置としての信号処理装置Ｄに出力する。信号処理装置Ｄは、７２０ｐ（６０Ｐ）の入力信号形式で入力された信号をそのままの形式で外部装置に出力する。
【００７８】
このように、４つの信号経路が存在するため、優先順位決定部６７は、ステップＳ１８の優先順位決定処理において、１つの信号経路を決定する処理を行う。このため、優先順位決定部６７は、図１９に示されるような機能的構成を有している。
【００７９】
選択部９１は、複数の信号経路の中から１つの信号経路を選択する処理を実行する。重み計算部９２は、選択部９１により選択された信号経路の重みを計算する。判定部９３は、全ての信号経路に対して重み計算処理を実行したか否かを判定し、まだ計算していない信号経路が存在する場合には、選択部９１に再び他の信号経路を選択させる。決定部９４は、重み計算部９２により計算された重みに基づいて、優先順位を決定する。
【００８０】
次に、図２０のフローチャートを参照して、優先順位決定処理について説明する。ステップＳ３１において、選択部９１は、複数の信号経路の中から１つの信号経路を選択する。例えば、図１５乃至図１８に示される経路の中から、図１５に示される信号経路がここで選択される。ステップＳ３２において、重み計算部９２は、各信号処理装置の優先順位の重みを加算する。具体的には、この実施の形態の場合、信号処理装置Ａには０、信号処理装置Ｂには３、信号処理装置Ｃには２、信号処理装置Ｄには０の重みがそれぞれ予め決められている。この重みも信号処理装置IDとともに、各信号処理装置からシステム制御装置１１に供給されている。重み計算部９２は、この重みを記録している。図１５の信号経路の場合、信号入力装置Ａと信号入力装置Ｄの重みはいずれも０であるため、その加算値は０である。
【００８１】
次に、ステップＳ３３において、判定部９３は、全ての信号経路を選択したか否かを判定する。いまの場合、まだ全ての信号経路を選択していないため、選択部９３は、ステップＳ３１において、再び選択部９１に他の１つの信号経路を選択させる。これにより、例えば、図１６の信号経路が選択される。ステップＳ３２において、重み計算部９２は、図１６の信号経路の各装置の重みを計算する。この場合、信号処理装置Ａの重みは０、信号処理装置Ｂの重みは３、信号処理装置Ｄの重みは０であるため、その加算値は３となる。
【００８２】
以下同様の処理が、順次実行され、図１７に示される信号経路は、信号処理装置Ａの重みが０、信号処理装置Ｃの重みが２、信号処理装置Ｄの重みが０であるため、その加算値は２となる。また、図１８に示される信号経路の場合、信号処理装置Ａの重みは０、信号処理装置Ｂの重みは３、信号処理装置Ｃの重みは２、信号処理装置Ｄの重みは０であるため、その加算値は５となる。
【００８３】
ステップＳ３３において、全ての信号経路を選択したと判定された場合、ステップＳ３４において、決定部９４は、加算値の大きさの順番に優先順位を決定する。すなわち、いまの場合、図１５乃至図１８に示される４つの信号経路の重みの加算値は、順番に図示すると、図２１に示されるようになる。図１８に示されるノイズ除去後解像度創造処理を実行する信号経路の重みの加算値が５で最も重く、次が、図１６に示されるノイズ除去を実行する信号経路の加算値が３で、３番目に重いのが、図１７に示される解像度創造処理を実行する加算値が２で、加算値が最も小さいのは、図１５に示される信号経路で、その値は０である。
【００８４】
従って、この場合には、図２１に示されるような優先順位となる。そこで、ステップＳ３５において、決定部９４は、優先順位が最も高い信号経路を表示する信号経路とする。図２１の例の場合、ノイズ除去後解像度創造処理を実行する信号経路が選択される。従って、図７のステップＳ１９の信号経路を表示する処理では、この例の場合、図１８に示される信号経路が表示されることになる。
【００８５】
以上の優先順位決定処理は、各信号処理装置に予め設定されている重みを利用して優先順位を決定するようにしたが、各信号処理装置に想定されている想定信号経路に基づいて重みを決定するようにしてもよい。このようにする場合、優先順位決定部６７は、例えば、図２２に示されるように構成される。
【００８６】
記憶部１１１は、デフォルトの優先順位を予め記憶する。デフォルト順位設定部１１２は、記憶部１１１に記憶されているデフォルト順位を設定する。判定部１１３は、想定信号経路を有する信号処理装置が存在するか否かを判定する。選択部１１４は、想定信号経路を有する信号処理装置が存在する場合、その想定信号経路の中から、より上流の信号処理装置を選択する処理を行う。
【００８７】
削除部１１５は、実際に接続されていない信号処理装置が含まれる想定信号経路を削除する処理を実行する。補正部１１６は、デフォルト順位設定部１１２により設定されたデフォルトの優先順位を、選択部１１４で選択された優先順位に基づいて補正する処理を実行する。決定部１１７は、優先順位が最も高い信号経路を決定する。
【００８８】
次に、図２３のフローチャートを参照して、想定信号経路に基づく優先順位決定処理について説明する。
【００８９】
ステップＳ５１において、デフォルト順位設定部１１２は、デフォルトの優先順位を設定する。具体的には、記憶部１１１に予め記憶されているデフォルト順位が、仮の優先順位としてここで設定される。このデフォルトの優先順位としては、例えば、上述した図２０の処理により決定される優先順位とすることもできる。このようにした場合、ここで図２４に示される優先順位が仮の順位として設定されることになる。
【００９０】
すなわち、第１番目がノイズ除去後解像度創造処理を行う信号経路、第２番目がノイズ除去を行う信号経路、第３番目が解像度創造処理を実行する信号経路、第４番目がスルー処理を行う信号経路である。
【００９１】
次に、ステップＳ５２において、判定部１１３は、想定信号経路を有する信号処理装置があるか否かを判定する。すなわち、この実施の形態の場合、各信号処理装置に、その信号処理装置を使用する場合に想定される信号経路の優先順位が予め記憶されている。そして、この信号経路も、信号処理装置IDとともにシステム制御装置１１に供給される。例えば、信号処理装置Ｃに、図２５に示されるような想定信号経路が付加されている場合、これがシステム制御装置１１に供給される。図２５の例の場合、第１番目が外部入力、ノイズ除去、時間解像度創造、解像度創造、外部出力の信号経路であり、第２番目の信号経路が、外部入力、解像度創造、外部出力の信号経路であり、第３番目の信号経路が、外部入力、ノイズ除去、解像度創造、外部出力の信号経路である。
【００９２】
ステップＳ５３において、選択部１１４は、より上流の信号処理装置の想定信号経路を選択する。具体的には、ステップＳ５１の処理で、仮に設定された優先順位のうち、最も優先順位の高い信号経路において、最もその信号の流れる上流側の信号処理装置の想定信号経路が選択される。具体的には、ステップＳ５１では、図２４に示される優先順位が設定されているため、最もその優先順位の高い第１番目の信号経路での信号処理の順番は、信号処理装置Ａ，Ｂ，Ｃ，Ｄの順である。従って、信号処理装置Ａが最も上流であり、信号処理装置Ｄが最も下流である。想定信号経路が信号処理装置Ｂと信号処理装置Ｃとに付加されている場合には、より上流側の信号処理装置Ｂの想定信号経路が選択される。いまの場合、信号処理装置Ｂには、想定信号経路が付加されていないので、信号処理装置Ｃの図２５に示されるような想定信号経路が選択される。これにより、より最適な信号経路を設定することが可能となる。
【００９３】
ステップＳ５４において、判定部１１３は、接続されていない信号処理装置を含む想定信号経路があるか否かを判定する。すなわち、ステップＳ５３の処理で選択された想定信号経路の中に、実際に接続されている信号処理装置があり、実行できない機能が含まれているか否かが判定される。すなわち、その処理を実行するには、他の信号処理装置を接続しなければできないか否かが判定される。他の信号処理装置を接続しなければ実行できない場合には、その想定信号経路は実行不能であるため、ステップＳ５５において、削除部１１５は、接続されていない信号処理装置を含む想定信号経路を削除する。図２５の例の場合、第１番目の信号経路のうち、時間解像度創造処理は、信号処理装置Ａ乃至Ｄのいずれも実行することができない機能であり、従って、実行解像度創造処理のための信号処理装置は、接続されていない。そこで、この想定信号経路は削除される。
【００９４】
ステップＳ５４において、接続されていない信号処理装置を含む想定信号経路が存在しないと判定された場合、削除すべき想定信号経路は存在しないため、ステップＳ５５の処理はスキップされる。
【００９５】
次に、ステップＳ５６において、補正部１１６は、デフォルトの優先順位を想定信号経路で補正する処理を実行する。この場合、想定信号経路での優先順位がデフォルトの優先順位より優先される。このため、ステップＳ５１の処理で設定された図２４に示される優先順位は、ステップＳ５５で設定された想定信号経路により補正され、図２６に示されるような優先順位となる。すなわち、図２５では、図２４の第３番目の解像度創造が第１番目であり、図２４の第１番目のノイズ除去後、解像度創造を行う処理が第２番目の優先順位とされる。このため、図２４の第３番目の優先順位が最上位の優先順位とされ、図２６に示されるような優先順位となる。
【００９６】
ステップＳ５７において、決定部１１７は、優先順位が最も高い信号経路を表示する信号経路とする処理を実行する。具体的には、決定部１１７は、図２６の第１番目の解像度創造処理を実行する信号経路、すなわち、図１７の信号経路を表示する信号経路として決定する。
【００９７】
従って、この場合には、図７のステップＳ１９において、この図１７に示される信号経路が表示されることになる。
【００９８】
次に、図７のステップＳ２０におけるパラメータ設定処理の詳細について説明する。このパラメータ設定処理を実行するために、図５のパラメータ設定部６９は、例えば、図２７に示されるような機能的構成を有している。
【００９９】
判定部１５１は、ユーザより指定されたモードが簡易設定モードであるのか詳細設定モードであるのかを判定する。表示部１５２は、判定部１５１により判定されたモードに対応するパラメータ設定入力画面としてのウィンドウを表示する。受け付け部１５３は、表示部１５２により表示されたパラメータ入力画面に基づいて、ユーザより入力されたパラメータを受け付ける。設定部１５４は、受け付け部１５３により受け付けられたパラメータを設定する処理を実行する。
【０１００】
次に、図２８のフローチャートを参照して、パラメータ設定処理について説明する。ステップＳ７１において、判定部１５１は、ユーザからの指令に基づいて、現在設定されているモードは簡易設定モードか否かを判定する。モードが簡易設定モードでない（詳細設定モードである）と判定された場合、ステップＳ７２において、表示部１５２は、詳細設定ウィンドウをモニタに表示させる。これにより、例えば、図２９Ａに示されるノイズ除去に関するパラメータ入力画面が表示される。ユーザは、この入力画面に基づいて、ノイズ除去のためのパラメータとして、パラメータＮ１とパラメータＮ２を入力する。
【０１０１】
ユーザがパラメータを入力すると、ステップＳ７３において、受け付け部１５３は、入力されたパラメータを受け付ける。ステップＳ７４において、受け付け部１５３は、入力が完了したか否かを判定し、まだ完了していない場合には、ステップＳ７３に戻り、再び入力を受け付ける処理を実行する。ステップＳ７４において、入力が完了したと判定された場合、ステップＳ７５において、判定部１５４は、全ての入力が完了したか否かを判定する。まだ全ての入力が完了していないと判定した場合、判定部１５４は、表示部１５２を制御し、ステップＳ７２において、前の表示に替えて、新たなパラメータ入力画面を表示させる。これにより、例えば図２９Ｂに示されるパラメータ入力画面が表示される。このパラメータ入力画面においては、解像度創造処理のためのパラメータとして、パラメータＶ１とパラメータＶ２が入力される。
【０１０２】
ステップＳ７３において、受け付け部１５３は、今表示されているパラメータ入力画面からの入力を受け付け、ステップＳ７４において入力が完了したと判定されるまで、受付処理を繰り返す。入力が完了したと判定された場合、ステップＳ７５において、判定部１５４は、再び全ての入力が完了したか否かを判定する。全ての入力が完了したと判定された場合、ステップＳ７８において、設定部１５５は、ステップＳ７３で受け付けられたパラメータを設定する処理を実行する。これにより、図２９Ａと図２９Ｂに示される入力画面で設定されたノイズ除去のためのパラメータＮ１，Ｎ２と、解像度創造処理のためのパラメータＶ１，Ｖ２が設定される。これにより、信号処理装置Ｂと信号処理装置Ｃにおいては、それぞれのパラメータを利用して、ノイズ除去または解像度創造処理が実行される。
【０１０３】
ステップＳ７１において、現在のモードが簡易設定モードであると判定された場合、ステップＳ７６において、表示部１５２は、パラメータ入力画面として簡易設定ウィンドウを表示する。この簡易設定ウィンドウの例が、図３０に示されている。図３０の例においては、ノイズ除去のためのパラメータとして、パラメータＮ１だけが、解像度創造処理のためのパラメータとして、パラメータＶ１だけが、それぞれ入力できるようになっている。すなわち、このモードは簡易設定モードであるため、ユーザは、簡単にパラメータを設定することができるようになされている。換言すれば、この簡易設定モードにおいては、パラメータＮ２とパラメータＶ２は、設定部１５４がユーザより入力されたパラメータＮ１とパラメータＶ１に基づいて、最適な値を自動的に決定する。これにより、ユーザは、より微細なパラメータの調整はできないが、より簡易な入力が可能となる。
【０１０４】
ステップＳ７７において受け付け部１５３は、ステップＳ７６で表示されたウィンドウから入力されたパラメータを受け付け、ステップＳ７８において、設定部１５４は、ステップＳ７７の処理で受け付けられたパラメータを設定する。
【０１０５】
このように、詳細設定モードの場合には、図２９Ａに示されるノイズ除去のパラメータの入力が完了した後、そのパラメータ入力画面が切り換えられ、図２９Ｂに示される解像度創造のためのパラメータ入力画面が表示される。これにより、ユーザは、より詳細にパラメータを設定することができる。
【０１０６】
これに対して、簡易設定モードにおいては、入力画面は１回しか表示されない。これにより、簡単かつ迅速なパラメータ設定を可能とする。
【０１０７】
なお、音声遅延制御装置１６が接続されている場合、設定された信号経路に基づいて、画像信号の処理時間遅延分と音声信号の処理時間遅延分を同期させる、いわゆるリップシンク処理を行うようにすることもできる。
【０１０８】
例えば、図１５乃至図１８に示される信号処理装置Ａ乃至信号処理装置Ｄのそれぞれの画像信号の処理時間の長さが０，１，２，０と設定されている場合、図１５に示される信号経路が設定された場合、音声遅延量を０とし、図１６に示される信号経路が設定された場合、音声遅延量を１、図１７に示される信号経路が設定された場合、音声遅延量を２とし、図１８に示される信号経路が設定された場合、音声遅延量を３とし、それぞれの遅延時間を音声遅延制御装置１６により制御するようにしてもよい。
【０１０９】
上述した一連の処理は、ハードウエアにより実行させることもできるし、ソフトウエアにより実行させることもできる。この場合、例えば、システム制御装置１１は、図３１に示されるようなパーソナルコンピュータにより構成される。
【０１１０】
図３１において、CPU（Central Processing Unit）２２１は、ROM（Read Only Memory）２２２に記憶されているプログラム、または記憶部２２８からRAM（Random Access Memory）２２３にロードされたプログラムに従って各種の処理を実行する。RAM２２３にはまた、CPU２２１が各種の処理を実行する上において必要なデータなども適宜記憶される。
【０１１１】
CPU２２１、ROM２２２、およびRAM２２３は、バス２２４を介して相互に接続されている。このバス２２４にはまた、入出力インタフェース２２５も接続されている。
【０１１２】
入出力インタフェース２２５には、キーボード、マウスなどよりなる入力部２２６、CRT(Cathode Ray Tube)、LCD(Liquid Crystal display)などよりなるディスプレイ、並びにスピーカなどよりなる出力部２２７、ハードディスクなどより構成される記憶部２２８、モデムなどより構成される通信部２２９が接続されている。通信部２２９は、インターネットを含むネットワークを介しての通信処理を行う。
【０１１３】
入出力インタフェース２２５にはまた、必要に応じてドライブ２３０が接続され、磁気ディスク、光ディスク、光磁気ディスク、或いは半導体メモリなどのリムーバブルメディア２３１が適宜装着され、それらから読み出されたコンピュータプログラムが、必要に応じて記憶部２２８にインストールされる。
【０１１４】
一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、ネットワークや記録媒体からインストールされる。
【０１１５】
この記録媒体は、図３１に示されるように、装置本体とは別に、ユーザにプログラムを提供するために配布される、プログラムが記録されている磁気ディスク（フロッピディスクを含む）、光ディスク（CD-ROM(Compact Disk-Read Only Memory),DVD(Digital Versatile Disk)を含む）、光磁気ディスク（ＭＤ（Mini-Disk）を含む）、もしくは半導体メモリなどよりなるリムーバブルメディア２３１により構成されるだけでなく、装置本体に予め組み込まれた状態でユーザに提供される、プログラムが記録されているROM２２２や、記憶部２２８に含まれるハードディスクなどで構成される。
【０１１６】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０１１７】
また、本明細書において、システムとは、複数の装置により構成される装置全体を表すものである。
【図面の簡単な説明】
【０１１８】
【図１】本発明を適用した情報処理システムの構成例を示すブロック図である。
【図２】図１の信号処理装置の構成例を示すブロック図である。
【図３】処理内容情報の例を示す図である。
【図４】入出力信号形式を説明する図である。
【図５】図１のシステム制御装置の構成例を示すブロック図である。
【図６】信号経路テーブル作成処理を説明するフローチャートである。
【図７】信号経路テーブル作成処理を説明するフローチャートである。
【図８】処理装置テーブルの例を示す図である。
【図９】信号経路テーブルの例を示す図である。
【図１０】信号経路テーブルの例を示す図である。
【図１１】信号経路テーブルの例を示す図である。
【図１２】信号経路テーブルの例を示す図である。
【図１３】信号経路テーブルの例を示す図である。
【図１４】信号経路の例を示す図である。
【図１５】信号経路の例を示す図である。
【図１６】信号経路の例を示す図である。
【図１７】信号経路の例を示す図である。
【図１８】信号経路の例を示す図である。
【図１９】図５の優先順位決定部の機能的構成例を示すブロック図である。
【図２０】優先順位決定処理を説明するフローチャートである。
【図２１】優先順位の重みの加算を説明する図である。
【図２２】図５の優先順位決定部の機能的構成例を示すブロック図である。
【図２３】優先順位決定処理を説明するフローチャートである。
【図２４】デフォルトの優先順位の例を示す図である。
【図２５】想定信号経路の優先順位を説明する図である。
【図２６】補正された優先順位の信号経路を説明する図である。
【図２７】図５のパラメータ設定部の機能的構成例を示すブロック図である。
【図２８】パラメータ設定処理を説明するフローチャートである。
【図２９】パラメータ入力画面の例を示す図である。
【図３０】パラメータ入力画面の例を示す図である。
【図３１】パーソナルコンピュータの構成例を示すブロック図である。
【符号の説明】
【０１１９】
１  情報処理システム，  １１  システム制御装置，  １２乃至１５  信号処理装置，  １６  音声遅延制御装置，  ３１  本処理部，  ３２  通信部，  ３３  装置情報格納部，  ６１  取得部，  ６２  処理装置テーブル作成部，  ６３  判定部，  ６４  信号経路テーブル作成部，  ６５  選択部，  ６６  警告部，  ６７  優先順位決定部，  ６８  表示部，  ６９  パラメータ設定部
【図１】
2005301803.tif 000003
【図２】
2005301803.tif 000004
【図３】
2005301803.tif 000005
【図４】
2005301803.tif 000006
【図５】
2005301803.tif 000007
【図６】
2005301803.tif 000008
【図７】
2005301803.tif 000009
【図８】
2005301803.tif 000010
【図９】
2005301803.tif 000011
【図１０】
2005301803.tif 000012
【図１１】
2005301803.tif 000013
【図１２】
2005301803.tif 000014
【図１３】
2005301803.tif 000015
【図１４】
2005301803.tif 000016
【図１５】
2005301803.tif 000017
【図１６】
2005301803.tif 000018
【図１７】
2005301803.tif 000019
【図１８】
2005301803.tif 000020
【図１９】
2005301803.tif 000021
【図２０】
2005301803.tif 000022
【図２１】
2005301803.tif 000023
【図２２】
2005301803.tif 000024
【図２３】
2005301803.tif 000025
【図２４】
2005301803.tif 000026
【図２５】
2005301803.tif 000027
【図２６】
2005301803.tif 000028
【図２７】
2005301803.tif 000029
【図２８】
2005301803.tif 000030
【図２９】
2005301803.tif 000031
【図３０】
2005301803.tif 000032
【図３１】
2005301803.tif 000033